(57)【要約】【課題】コストを抑えつつ良好な集塵効果を確保でき、しかも、目詰まり時においてもガスの流れを確保することが可能なガスメータを提供すること。【解決手段】ガスメータ１０は、メータケース１６と、メータケース１６に設けられたガスの流入部１３と、メータケース１６に設けられたガスの流出部１４と、流入部１３から送り込まれて流出部１４から送り出されるガスの流量を計測する流量計測部１２と、を備える。また、ガスメータ１０は、流入部１３に設けられ、ガスに含まれる塵埃Ｄを除去するフィルタユニット１１を備える。フィルタユニット１１は、流入部１３に接続される筒状の枠体２０と、枠体２０の周囲を覆うフィルタ３０と、を備え、フィルタ３０には、スリット３２が形成されている。【選択図】図１
0003233686.tif 000002
【実用新案登録請求の範囲】
【請求項１】
メータケースと、
前記メータケースに設けられたガスの流入部と、
前記メータケースに設けられたガスの流出部と、
前記流入部から送り込まれて前記流出部から送り出されるガスの流量を計測する流量計測部と、
前記メータケース内において前記流入部に設けられ、前記流入部から送り込まれたガスに含まれる塵埃を除去するフィルタユニットと、
を備え、
前記フィルタユニットは、
前記流入部に接続される筒状の枠体と、
前記枠体の周囲を覆うフィルタと、
を備え、
前記フィルタには、スリットが形成されている、
ガスメータ。
【請求項２】
前記フィルタは、前記スリットをＵ字状に形成することにより設けられた開口可能な蓋部を有する、
請求項１に記載のガスメータ。
【請求項３】
前記スリットは、ジグザグ形状に形成されている、
請求項１または請求項２に記載のガスメータ。
【請求項４】
前記フィルタユニットは、前記メータケース内において鉛直方向に沿って配置され、前記枠体の底面を除く周囲に設けられた前記フィルタが前記メータケースの底部における内面に密着されている、
請求項１〜３のいずれか一項に記載のガスメータ。
【請求項５】
前記枠体は、前記流入部への接続側の肩部が、ガスの流入方向に向かって次第に外側へ傾斜されている、
請求項１〜４のいずれか一項に記載のガスメータ。
【考案の詳細な説明】
【技術分野】
【０００１】
本考案は、ガスメータに関する。
【背景技術】
【０００２】
ガスの供給経路に設けられるガスメータとして、流量計測部の上流側の流入開口部から流入したガスの塵埃を除去するフィルタ装置を備え、配管の錆などの塵埃の流量計測部への流入を抑えるものがある（例えば、特許文献１参照）。このガスメータでは、下流側に向けて互いに間隔をおいて配置された複数段のフィルタ隔壁を設け、これらの複数段のフィルタ隔壁における異なる位置に開口部を形成し、積層方向に交差する方向にガスの流路を形成している。そして、このガスメータでは、集塵効果を確保しつつ、フィルタに目詰まりが生じた場合でもガスの流れを確保している。
【先行技術文献】
【特許文献】
【０００３】
【特許文献１】特開２０２１−３８９３０号公報
【考案の概要】
【考案が解決しようとする課題】
【０００４】
しかし、上記のガスメータは、複数段に設置したフィルタ隔壁における異なる位置に開口部を形成した複雑構造のフィルタ装置を備えるので、コストアップを招いてしまう。
【０００５】
本考案は、上述した事情に鑑みてなされたものであり、その目的は、コストを抑えつつ良好な集塵効果を確保でき、しかも、目詰まり時においてもガスの流れを確保することが可能なガスメータを提供することにある。
【課題を解決するための手段】
【０００６】
本考案の上記目的は、下記構成により達成される。
（１）  メータケースと、
前記メータケースに設けられたガスの流入部と、
前記メータケースに設けられたガスの流出部と、
前記流入部から送り込まれて前記流出部から送り出されるガスの流量を計測する流量計測部と、
前記メータケース内において前記流入部に設けられ、前記流入部から送り込まれたガスに含まれる塵埃を除去するフィルタユニットと、
を備え、
前記フィルタユニットは、
前記流入部に接続される筒状の枠体と、
前記枠体の周囲を覆うフィルタと、
を備え、
前記フィルタには、スリットが形成されている、ガスメータ。
【０００７】
上記（１）の構成のガスメータによれば、流入部からフィルタユニットに送り込まれるガスがフィルタを通過する際に、ガスに含まれる塵埃をフィルタによって捕捉して除去することができる。
また、フィルタに塵埃が蓄積して目詰まりが生じると、フィルタに形成されたスリットが開くことにより、このスリットを通してガスがメータケースの内部へ流出する。したがって、流入部からメータケース内に送り込まれるガスは、フィルタの目詰まりによって流れが妨げられることなく、流量計測部を通して流出部から送り出されるので、フィルタの目詰まりによる流量計測部における計測誤差を抑えることができる。また、単にフィルタにスリットを形成した単純構造であるので、異なる位置に開口部を有するフィルタ隔壁を複数段に設けた複雑構造のフィルタ装置と比べ、コストを抑えることができる。
【０００８】
（２）  前記フィルタは、前記スリットをＵ字状に形成することにより設けられた開口可能な蓋部を有する、（１）に記載のガスメータ。
【０００９】
上記（２）の構成のガスメータによれば、フィルタの目詰まりが進んでフィルタユニットの内圧が上昇すると、フィルタの蓋部が外側へ開いて開口するので、フィルタの目詰まりによるガスの流れの滞りをより良好に抑えることができる。
【００１０】
（３）  前記スリットは、ジグザグ形状に形成されている、（１）または（２）に記載のガスメータ。
【００１１】
上記（３）の構成のガスメータによれば、スリットがジグザグ形状に形成されているので、スリットにおける接触面積を大きくし、蓋部の開口のタイミングを遅らせるように調整することができる。
【００１２】
（４）  前記フィルタユニットは、前記メータケース内において鉛直方向に沿って配置され、前記枠体の底面を除く周囲に設けられた前記フィルタが前記メータケースの底部における内面に密着されている、（１）〜（３）のいずれか一つに記載のガスメータ。
【００１３】
上記（４）の構成のガスメータによれば、フィルタユニットがメータケース内において鉛直方向に沿って配置されているので、フィルタで捕捉した塵埃を自重によって効率的に落としてフィルタの目詰まりを抑えることができる。
また、枠体の底面を除く周囲にフィルタが設けられ、このフィルタがメータケースの底部における内面に密着されているので、フィルタが目詰まりを起こした際に、メータケースの底部における内面とフィルタとの間からメータケース内にガスが流れることとなる。よって、スリットに加えてメータケースの底部における内面とフィルタとの間からガスが流れることにより、フィルタの目詰まりによるガスの流れの滞りをより良好に抑えることができる。
【００１４】
（５）  前記枠体は、前記流入部への接続側の肩部が、ガスの流入方向に向かって次第に外側へ傾斜されている、（１）〜（４）のいずれか一つに記載のガスメータ。
【００１５】
上記（５）の構成のガスメータによれば、ガスの流入方向に向かって次第に外側へ傾斜する肩部を有する枠体を備えているので、流入部から送り込まれるガスを円滑にフィルタユニット内へ導いて圧力損失を抑えることができる。
【考案の効果】
【００１６】
本考案によれば、コストを抑えつつ良好な集塵効果を確保でき、しかも、目詰まり時においてもガスの流れを確保することが可能なガスメータを提供できる。
【００１７】
以上、本考案について簡潔に説明した。更に、以下に説明される考案を実施するための形態（以下、「実施形態」という。）を添付の図面を参照して通読することにより、本考案の詳細は更に明確化されるであろう。
【図面の簡単な説明】
【００１８】
【図１】図１は、本実施形態に係るガスメータを示す図であって、（ａ）は概略構成図、（ｂ）はフィルタユニットを断面視した模式図である。
【図２】図２は、フィルタユニットの斜視図である。
【図３】図３は、フィルタユニットの構成を示す図であって、（ａ）は枠体の斜視図、（ｂ）はフィルタの斜視図である。
【図４】図４は、異なる形状のスリットを有するフィルタの斜視図である。
【図５】図５は、変形例に係るフィルタユニットを備えたガスメータのフィルタユニットを断面視した模式図である。
【考案を実施するための形態】
【００１９】
以下、本考案に係る実施の形態の例を、図面を参照して説明する。
図１は、本実施形態に係るガスメータを示す図であって、（ａ）は概略構成図、（ｂ）はフィルタユニットを断面視した模式図である。
【００２０】
図１（ａ）及び（ｂ）に示すように、本実施形態に係るガスメータ１０は、メータケース１６を有しており、このメータケース１６の内部に、フィルタユニット１１と、流量計測部１２とを備えている。ガスメータ１０には、メータケース１６の上部に、流入部１３と、流出部１４とが設けられている。
【００２１】
フィルタユニット１１は、流入部１３に設けられ、流量計測部１２は、流出部１４に設けられている。ガスメータ１０のメータケース１６には、流入部１３からフィルタユニット１１を通してガスが送り込まれ、この送り込まれたガスは、流量計測部１２を通して流出部１４から送り出される。
【００２２】
フィルタユニット１１は、メータケース１６内において、鉛直方向に沿って配置されている。流量計測部１２は、フィルタユニット１１へ向かって水平方向へ延びる取入管１５を有しており、この取入管１５の端部の取入部１５ａがフィルタユニット１１の上部における側面に対向する位置に配置されている。流量計測部１２は、取入管１５を通して取り入れられるガスの流量を超音波によって計測する。
【００２３】
図２は、フィルタユニットの斜視図である。図３は、フィルタユニットの構成を示す図であって、（ａ）は枠体の斜視図、（ｂ）はフィルタの斜視図である。
【００２４】
図２、図３（ａ）及び（ｂ）に示すように、フィルタユニット１１は、枠体２０と、フィルタ３０とから構成されている。
【００２５】
枠体２０は、例えば、合成樹脂から成形されている。この枠体２０は、底面が開放された角筒状に形成された本体部２１と、本体部２１の上部に設けられた円筒状の接続部２２とを有している。本体部２１は、その周面が格子状に形成されている。これにより、本体部２１は、その周面に複数の開口部２３を有している。
【００２６】
フィルタ３０は、例えば、ウレタンフォームのシートからなるもので、筒状に形成されている。このフィルタ３０には、その側面に、蓋部３１が形成されている。この蓋部３１は、フィルタ３０に略Ｕ字状のスリット３２を形成することにより設けられており、上部がフィルタ３０の他の部分と連結されている。
【００２７】
このフィルタ３０は、枠体２０の本体部２１の周囲に巻き付けられるように設けられる。これにより、枠体２０は、その底面及び接続部２２が設けられた肩部２１ａを除く周面がフィルタ３０によって覆われている。フィルタ３０は、結束バンド３５によって枠体２０の本体部２１の上端部に結束されて固定されている。そして、このフィルタ３０を枠体２０へ結束して固定することにより、フィルタユニット１１が構成される。
【００２８】
このフィルタユニット１１をガスメータ１０に組付けるには、フィルタユニット１１を傾けて枠体２０の接続部２２を流入部１３に挿し込む。その後、傾けたフィルタユニット１１の下部を押し込み、流入部１３の軸線に沿わせるように配置させ、接続部２２に設けられた係止爪（図示略）を流入部１３に係止させる。
【００２９】
すると、接続部２２が流入部１３に挿し込まれたフィルタユニット１１は、その底面がメータケース１６の底部１６ａの内面に対向される。このとき、フィルタユニット１１のフィルタ３０がメータケース１６の底部１６ａの内面に密着されて僅かに圧縮されるようにフィルタ３０の寸法を設定しておくのが好ましい。
【００３０】
上記構造のフィルタユニット１１を組み込んだガスメータ１０では、流入部１３からフィルタユニット１１の枠体２０内にガスが送り込まれる。このガスは、フィルタユニット１１のフィルタ３０を通してメータケース１６の内部に送り出され、取入部１５ａから取入管１５を介して流量計測部１２を通り、流出部１４から送り出される。そして、流量計測部１２において、ガスの流量が計測される。このとき、フィルタユニット１１のフィルタ３０をガスが通過することにより、ガスに含まれる塵埃Ｄがフィルタ３０に捕捉されて除去される。
【００３１】
また、フィルタユニット１１では、塵埃Ｄを除去するフィルタ３０に塵埃Ｄが蓄積して目詰まりが生じると、フィルタユニット１１の内圧によってスリット３２が開き、このスリット３２を通してメータケース１６の内部へガスが流出することとなる。したがって、流入部１３からメータケース１６内に送り込まれるガスは、フィルタ３０の目詰まりによって流れが妨げられることなく、流量計測部１２を通して流出部１４へ流れ、この流出部１４から送り出される。
【００３２】
また、フィルタ３０における目詰まりがさらに進んでフィルタユニット１１の内圧が上昇すると、フィルタ３０の蓋部３１が外側へ開いて開口する。これにより、流入部１３からフィルタユニット１１に送り込まれるガスが蓋部３１の開口箇所からメータケース１６の内部に流出し、流量計測部１２を通って流出部１４から送り出される。
【００３３】
なお、フィルタ３０の目詰まりは、フィルタユニット１１の内圧を計測する圧力センサ等を設けることにより検知することが可能である。
【００３４】
このように、本実施形態に係るガスメータ１０によれば、流入部１３からフィルタユニット１１に送り込まれるガスがフィルタ３０を通過する際に、ガスに含まれる塵埃Ｄをフィルタ３０によって捕捉して除去することができる。
【００３５】
また、フィルタ３０に塵埃Ｄが蓄積して目詰まりが生じると、フィルタ３０に形成されたスリット３２が開くことにより、このスリット３２を通してガスがメータケース１６の内部へ流出する。したがって、流入部１３からメータケース１６内に送り込まれるガスは、フィルタ３０の目詰まりによって流れが妨げられることなく、流量計測部１２を通して流出部１４から送り出される。よって、フィルタ３０の目詰まりによる流量計測部１２における計測誤差を抑えることができる。また、単にフィルタ３０にスリット３２を形成した単純構造であるので、異なる位置に開口部を有するフィルタ隔壁を複数段に設けた複雑構造のフィルタ装置と比べ、コストを抑えることができる。
【００３６】
さらに、フィルタ３０は、スリット３２をＵ字状に形成することにより設けられた開口可能な蓋部３１を有する。したがって、フィルタ３０の目詰まりが進んでフィルタユニット１１の内圧が上昇すると、フィルタ３０の蓋部３１が外側へ開いて開口するので、フィルタ３０の目詰まりによるガスの流れの滞りをより良好に抑えることができる。
【００３７】
しかも、フィルタユニット１１がメータケース１６内において鉛直方向に沿って配置されているので、フィルタ３０で捕捉した塵埃Ｄを自重によって効率的に落としてフィルタ３０の目詰まりを抑えることができる。
【００３８】
また、枠体２０の底面を除く周囲にフィルタ３０が設けられ、このフィルタ３０がメータケース１６の底部１６ａにおける内面に密着されている。この構成により、フィルタ３０が目詰まりを起こした際に、メータケース１６の底部１６ａにおける内面とフィルタ３０との間からメータケース１６内にガスが流れることとなり、フィルタ３０の目詰まりによるガスの流れの滞りをより良好に抑えることができる。
【００３９】
なお、フィルタ３０に設ける蓋部３１は、開口のタイミングに応じて形状や大きさを設定して開口タイミングを調整するのが好ましい。例えば、図４に示すように、ジグザグ形状にスリット３２を形成して蓋部３１を設けてもよい。ジグザグ形状は、平面視において凹部と凸部とが繰り返し連続する線で形成される形状である。このように、スリット３２を平面視凹凸状のジグザグ形状とすることにより、スリット３２によって分断される二つの領域間の接触面積を大きくする。よって、ジグザグ形状に形成されたスリット３２は、蓋部３１の開口のタイミングを、直線で形成されたスリット３２の場合よりも遅らせるように調整することができる。
【００４０】
また、図５に示すように、フィルタユニット１１としては、ガスの流入方向に向かって次第に外側へ傾斜する肩部２１ａを有する枠体２０を備えていてもよい。このような枠体２０を備えたフィルタユニット１１では、流入部１３から送り込まれるガスが円滑にフィルタユニット１１内へ導かれることとなり、圧力損失を抑えることができる。
【００４１】
なお、フィルタ３０に形成するスリット３２は、フィルタユニット１１における複数箇所に設けてもよい。ただし、フィルタ３０が目詰まりした際に、ガスに含まれる塵埃Ｄがスリット３２から流出するため、スリット３２は、流量計測部１２の取入管１５の取入部１５ａとの対向位置から外れた位置に設けるのが好ましい。
【００４２】
また、上記実施形態では、フィルタユニット１１のフィルタ３０は、枠体２０の底面を除く周面を覆うように設けたが、枠体２０の底面を覆うようにフィルタ３０を設けてもよい。
【００４３】
尚、本考案は、上述した実施形態に限定されるものではなく、適宜、変形、改良、等が可能である。その他、上述した実施形態における各構成要素の材質、形状、寸法、数、配置箇所、等は本考案を達成できるものであれば任意であり、限定されない。
【００４４】
ここで、上述した本考案の実施形態に係るガスメータの特徴をそれぞれ以下［１］〜［５］に簡潔に纏めて列記する。
［１］  メータケース（１６）と、
前記メータケース（１６）に設けられたガスの流入部（１３）と、
前記メータケース（１６）に設けられたガスの流出部（１４）と、
前記流入部（１３）から送り込まれて前記流出部（１４）から送り出されるガスの流量を計測する流量計測部（１２）と、
前記メータケース内において前記流入部（１３）に設けられ、前記流入部から送り込まれたガスに含まれる塵埃を除去するフィルタユニット（１１）と、
を備え、
前記フィルタユニット（１１）は、
前記流入部（１３）に接続される筒状の枠体（２０）と、
前記枠体（２０）の周囲を覆うフィルタ（３０）と、
を備え、
前記フィルタ（３０）には、スリット（３２）が形成されている、ガスメータ。
［２］  前記フィルタ（３０）は、前記スリット（３２）をＵ字状に形成することにより設けられた開口可能な蓋部（３１）を有する、［１］に記載のガスメータ。
［３］  前記スリット（３２）は、ジグザグ形状に形成されている、［１］または［２］に記載のガスメータ。
［４］  前記フィルタユニット（１１）は、前記メータケース（１６）内において鉛直方向に沿って配置され、前記枠体（２０）の底面を除く周囲に設けられた前記フィルタ（３０）が前記メータケース（１６）の底部（１６ａ）における内面に密着されている、［１］〜［３］のいずれか一つに記載のガスメータ。
［５］  前記枠体（２０）は、前記流入部（１３）への接続側の肩部（２１ａ）が、ガスの流入方向に向かって次第に外側へ傾斜されている、［１］〜［４］のいずれか一つに記載のガスメータ。
【符号の説明】
【００４５】
１０：ガスメータ
１１：フィルタユニット
１２：流量計測部
１３：流入部
１４：流出部
１６：メータケース
１６ａ：底部
２０：枠体
２１ａ：肩部
３０：フィルタ
３１：蓋部
３２：スリット
Ｄ：塵埃
【図１】
0003233686.tif 000003
【図２】
0003233686.tif 000004
【図３】
0003233686.tif 000005
【図４】
0003233686.tif 000006
【図５】
0003233686.tif 000007